(57)【特許請求の範囲】
【請求項１】
存在検出に基づく照明雰囲気を自動的に調節するためのシステムであって、
監視エリアにおける人の存在に関する情報を収集する少なくとも１つのセンサと、
収集された前記情報に基づいて前記監視エリアにおける人の存在レベルを決定し、決定された前記存在レベルに依存して前記照明雰囲気のダイナミクスレベルを制御することにより、決定された前記存在レベルに基づいて前記照明雰囲気を調節する処理ユニットとを有し、
前記人の存在レベルの決定は、人の数の決定を有し、
前記処理ユニットは、前記決定された存在レベルを閾値と比較し、前記決定された存在レベルが前記閾値を超えた場合には、前記照明雰囲気を調節し、
前記処理ユニットは、前記決定された存在レベルが前記閾値を超えた場合に、前記照明雰囲気の顕著なダイナミクス効果が、無効化されるか、又は、あまり強くならないように調節されるかのいずれかの点において、前記照明雰囲気のダイナミクスレベルを制御する、システム。
【請求項２】
前記少なくとも１つのセンサは、グリッド状の赤外線存在センサ、フロア組み込み式の存在センサ、コンピュータカメラのうちの１又はそれ以上を有する、請求項１に記載のシステム。
【請求項３】
前記処理ユニットは、有線又は無線通信手段により前記少なくとも１つのセンサからの前記収集された情報を受信する、請求項１又は請求項２に記載のシステム。
【請求項４】
前記処理ユニットは、前記監視エリア内に配置された人の数を決定すること、及び、予め決められた期間内において前記監視エリアを通過する人の数を決定することのうちの１又はそれ以上を決定することにより人の前記存在レベルを決定する、請求項１〜３のうちのいずれか一項に記載のシステム。
【請求項５】
前記閾値は手動で調節され得る、請求項１〜４のうちのいずれか一項に記載のシステム。
【請求項６】
前記処理ユニットは、スケジュールに応じて前記閾値を自動的に調節する、請求項１〜５のうちのいずれか一項に記載のシステム。
【請求項７】
前記処理ユニットは、前記決定された存在レベルに直接的に依存して前記照明雰囲気のダイナミクスレベルを制御することにより、前記決定された存在レベルに基づいて前記照明雰囲気を調節し、
前記決定された存在レベルが上昇する場合にはダイナミクスのレベルが下げられる、請求項１〜６のうちいずれか一項に記載のシステム。
【請求項８】
前記処理ユニットは、前記決定された存在レベルが閾値を超える場合には、ダイナミクスのレベルを最も低いレベルに設定する、請求項７に記載のシステム。
【請求項９】
少なくとも１つの照明ユニットを有し、前記少なくとも１つの照明ユニットで照明雰囲気を自動的に生成する照明システムと、
前記照明システムを制御することにより、請求項１〜８のうちいずれか一項に記載の存在検出に基づいて前記生成された照明雰囲気を自動的に調節するためのシステムとを有する、雰囲気生成システム。
【請求項１０】
存在検出に基づいて照明雰囲気を自動的に調節するための方法であって、
監視エリアにおける人の存在に関する情報を収集するステップと、
収集された前記情報に基づいて前記監視エリア上の人の存在レベルを決定するステップと、
決定された前記存在レベルに依存して前記照明雰囲気のダイナミクスレベルを制御することにより、前記決定された存在レベルに基づいて前記照明雰囲気を調節するステップとを有し、
前記人の存在レベルの決定は、人の数の決定を有し、
前記調節するステップは、前記決定された存在レベルを閾値と比較し、前記決定された存在レベルが前記閾値を超えた場合には、前記照明雰囲気を調節し、
前記調節するステップは、前記決定された存在レベルが前記閾値を超えた場合に、前記照明雰囲気の顕著なダイナミクス効果が、無効化されるか、又は、あまり強くならないように調節されるかのいずれかの点において、前記照明雰囲気のダイナミクスレベルを制御する、方法。
【請求項１１】
コンピュータにより実行されたときに請求項１０に記載の方法を実行することが可能な、コンピュータプログラム。
【請求項１２】
請求項１１に記載のコンピュータプログラムを格納する、記録担体。
【請求項１３】
請求項１０に記載の方法を実行するようにプログラムされ、照明システムにより生成された照明雰囲気を調節するための照明システムとの通信のためのインタフェースを有する、コンピュータ。
【発明の詳細な説明】
【技術分野】
【０００１】
本発明は、存在検出に基づく、特に監視エリアにおける人の存在の検出に基づく、照明雰囲気の自動調節に関する。
【背景技術】
【０００２】
高度な照明システムは、しばしば、ユーザインタラクション等の複数のパラメータに依存して照明雰囲気を作り出すことができる。インタラクティビティ及びダイナミクスはそのエリアをより魅力的で関心のあるものにするので、インタラクティブな照明雰囲気は、小売店又はホスピタリティの環境に対して刺激及び興奮させ得る。例えば、店舗において、買い物客を引き付けるために特定の場所が人の存在に依存して強調され得る。非常に頻繁に、高度な照明システムは、例えば、それぞれの発光体において典型的には周囲の照明状態及び人の存在を測定する幾つかのセンサも備えている。このようなことが起こるのは、これらのタイプのセンサが非常に安価になり、人々が高度な照明システムからの特定レベルのインタラクティビティ及びインテリジェンスを期待するためである。例えば、人々は、部屋がもはや占有されていない場合に照明が自動的にオフになることを期待するだろう。特に、最近では、エネルギの節約が共通感覚として知られている。
【発明の概要】
【発明が解決しようとする課題】
【０００３】
本発明の目的は、或る環境における照明雰囲気に自動的に影響を及ぼす新規なシステム及び方法を提供することにある。
【課題を解決するための手段】
【０００４】
本目的は、独立請求項により解決される。他の実施形態は、従属請求項により示される。
【０００５】
本発明の基本的な概念は、照明環境の特にインタラクティビティを含むダイナミクスのレベルが特定のエリアにおける人の存在のレベルに依存して作られる点において、存在検出に基づいて照明雰囲気を調節することにある。特に、本発明は、ユーザ研究に基づいており、これは、より多くの人が或るエリア内に存在するときに、インタラクティビティ及びダイナミクスの使用があまり要求されないことを示した。特定のエリアにおける人の存在のレベルは、特に、その特定のエリアの混雑状況を意味する。
【０００６】
本発明の一実施形態は、存在検出に基づく照明雰囲気を自動的に調節するためのシステムであって、監視エリアにおける人の存在に関する情報を収集する少なくとも１つのセンサと、収集された前記情報に基づいて前記監視エリア上の人の存在レベルを決定し、決定された前記存在レベルに依存して前記照明雰囲気のダイナミクスレベルを制御することにより、決定された前記存在レベルに基づいて前記照明雰囲気を調節する処理ユニットとを有する、システムを提供する。
【０００７】
これは、監視エリア内の人の数が増大した場合、即ち監視エリアが混雑になった場合に、例えば、照明雰囲気のダイナミクスのレベルを削減することを可能にする。それ故、照明雰囲気、特に照明雰囲気のダイナミクスは、店舗等の環境において自動的に影響を受ける。
【０００８】
本発明の他の実施形態によれば、少なくとも１つのセンサは、グリッド状の赤外線存在センサ、フロア組み込み式の存在センサ、コンピュータカメラのうちの１又はそれ以上を有する。
【０００９】
少なくとも１つのセンサのこの実施は、監視エリア内の混雑状況を確実に検出することを可能にする。
【００１０】
処理ユニットは、本発明の一実施形態において、有線又は無線通信手段により少なくとも１つのセンサからの収集された情報を受信するように更に適合され得る。例えば、少なくとも１つのセンサは、電力線通信モジュール、ネットワークインタフェース、ZigBeeTM等のラジオインタフェース通信モジュール、又は、赤外線通信モジュール等の光学通信モジュールを有し得る。
【００１１】
本発明の他の実施形態によれば、処理ユニットは、監視エリア内に配置された人の数を決定すること、及び、予め決められた期間内において監視エリアを通過する人の数を決定することのうちの１又はそれ以上を決定することにより人の存在レベルを決定するように適合され得る。例えば、処理ユニットは、監視エリア内の人をカウントし、存在レベルを決定するために或る期間に渡るカウントされた人の数の変化を決定するように適合され得る。人の数は前記エリア内の混雑状況に対応する一方で、人の数の変化は混雑状況の変化に対応する。
【００１２】
処理ユニットは、本発明の他の実施形態において、決定された存在レベルを閾値と比較し、決定された存在レベルが前記閾値を超える場合には、照明雰囲気を調節するように適合され得る。これは、前記閾値が超えたとき、即ち監視エリアにおける人の存在が、閾値により予め決定された存在レベルと比較して高すぎるときには、照明雰囲気に含まれるダイナミクスを調節することを可能にする。
【００１３】
閾値は、本発明の一実施形態においては手動で調節されてもよく、それ故、ユーザは、例えば固定された又は予め規定された閾値により決定されたシステムの自動動作が不満足な結果を生成する状況に対して閾値を適合させることを可能にする。本システムは、例えば、閾値を調節するためのダイアルノブ又はボタンを備えたユーザインタフェースを有し得る。
【００１４】
本発明の他の実施形態において、処理ユニットは、スケジュールに応じて閾値を自動的に調節するように適合され得る。これは、例えば、１日又は１週間を通して様々な閾値をスケジューリングすることを可能にする。例えば、小売業者は、特定の時間に、前記エリア内に特定のタイプの訪問者が、例えば、朝の間には高齢の買い物客が、午後には若い買い物客がいることを知り得、これらに対して、特定の閾値が適用され得る。スケジュールは、例えば、システムのユーザインタフェースにより、又は、コンピュータ制御されたユーザインタフェースを有する例えば照明システムを備えた制御インタフェースを介して、入力され、これは、ユーザが、様々な閾値のスケジュール、及び、１日、１週間、１ヶ月、１年等の間の活動時間を入力することを提供する。それ故、照明雰囲気、特に照明雰囲気のダイナミクスは、店舗等の環境に良好に適合され得る。
【００１５】
本発明の他の実施形態によれば、決定された存在レベルが閾値を超える場合に、照明雰囲気の顕著なダイナミクス効果が、無効化されるか、又は、あまり強くならないように調節されるかのいずれかの点において、処理ユニットが照明雰囲気のダイナミクスレベルを制御するように適合され得る。例えば、点滅照明がオフにされ得るか、又は、色を変える等の強い光効果が照明雰囲気において無効化され得る。
【００１６】
処理ユニットは、本発明の一実施形態において、決定された存在レベルに直接的に依存して照明雰囲気のダイナミクスレベルを制御することにより、決定された存在レベルに基づいて照明雰囲気を調節するように更に適合され、決定された存在レベルが上昇する場合にはダイナミクスのレベルが下げられる。閾値を超える検出とは対照的に、この実施形態は、照明雰囲気のダイナミクスレベルをより滑らかに変化させることを可能にする。
【００１７】
本発明の他の実施形態において、処理ユニットは、決定された存在レベルが閾値を超える場合には、ダイナミクスのレベルを最も低いレベルに設定するように適合され得る。これは、監視エリア内の検出された存在が高すぎるときに、照明雰囲気の強い照明効果を無効化することにより、照明雰囲気のダイナミクスレベルの滑らかな変化を更に強化し得る。
【００１８】
本システムは、本発明の他の実施形態において、照明システムの照明コントローラの部分として、又は、スタンドアロンユニットとして実装され、これは、照明システムと結合するためのインタフェースを有し得る。
【００１９】
本発明は、他の実施形態において、少なくとも１つの照明ユニットを有し、前記少なくとも１つの照明ユニットで照明雰囲気を自動的に生成する照明システムと、前記照明システムを制御することにより、本発明による前述されたような存在検出に基づいて、生成された前記照明雰囲気を自動的に調節するシステムとを有する、雰囲気生成システムを提供する。
【００２０】
本発明による存在検出に基づいて前記生成された照明雰囲気を自動的に調節するためのシステムは、例えば、照明雰囲気内のダイナミクスを調節するための制御信号が出力される照明システムと結合するための制御インタフェースを有する。
【００２１】
更に、本発明の一実施形態は、存在検出に基づいて照明雰囲気を自動的に調節するための方法であって、監視エリアにおける人の存在に関する情報を収集するステップと、収集された前記情報に基づいて前記監視エリア上の人の存在レベルを決定するステップと、決定された前記存在レベルに依存して前記照明雰囲気のダイナミクスレベルを制御することにより、前記決定された存在レベルに基づいて前記照明雰囲気を調節するステップとを有する、方法を提供する。
【００２２】
この方法は、例えば組み込まれた照明システムコントローラにより実行され得るアルゴリズムとして実装され得る。本アルゴリズムは、存在センサを有する照明ユニット内に統合され、それ故、照明雰囲気を生成し、生成された照明雰囲気を、照明ユニットの存在センサにより監視されたエリア内の混雑状況に適合させることを可能とする自立デバイスを得る。この照明ユニットは、例えば大きな店舗、バー、ホテル、ミュージアム等において適用される複雑な照明システムに適用されるのに適した一種のスマート照明を生成する。
【００２３】
本発明の他の実施形態によれば、コンピュータにより実行されたときに本発明の前記方法を実行することが可能なコンピュータプログラムが適用され得る。それ故、本発明の方法は、例えば、既存の照明システムに適用され、これは、新規な機能で拡張され、例えばダウンロードコネクション又は記録担体を介して提供されるコンピュータプログラムを実行するように適合される。
【００２４】
本発明の他の実施形態によれば、本発明のコンピュータプログラムを格納する記録担体、例えば、ＣＤ−ＲＯＭ、ＤＶＤ、メモリカード、ディスケット、又は、電子的アクセスのためのコンピュータプログラムを格納するのに適した類似のデータ担体が提供され得る。
【００２５】
最後に、本発明の一実施形態は、本発明の方法を実行するようにプログラムされ、照明システムにより生成された照明雰囲気を調節するための照明システムとの通信のためのインタフェースを有するコンピュータを提供する。本コンピュータは、例えば、特に、自動的に生成された照明雰囲気に従って制御信号を生成して、制御信号をインタフェースを介して照明システムに送信するために、ユーザ要求された照明雰囲気を例えばＸＭＬにおける照明雰囲気の抽象記述から自動的に生成するための照明システムを制御するように適合されたパーソナルコンピュータ（ＰＣ）であり得る。
【００２６】
本発明のこれら及び他の態様は、後述される実施形態から明らかになり、その実施形態を参照して説明されるだろう。
【００２７】
本発明は、例となる実施形態を参照して、以下でより詳細に述べられるだろう。しかしながら、本発明は、これらの例となる実施形態に限定されるものではない。
【図面の簡単な説明】
【００２８】
【図１】本発明の存在検出に基づいて照明雰囲気を自動的に調節するためのシステムを有する照明システムの一実施形態を示す。
【図２】本発明の存在検出に基づいて照明雰囲気を自動的に調節するための方法の一実施形態を示す。
【発明を実施するための形態】
【００２９】
以下においては、機能的に類似又は同一の要素は同一の参照番号を有する。
【００３０】
インタラクティブな照明雰囲気は、店舗、ブティック、ホテルロビー又は待合エリア等の小売又はホスピタリティ環境を訪れる人々に対して刺激及び興奮させ得る。特に、これらのエリアが比較的静かなときには、インタラクティブな照明雰囲気内に含まれたダイナミクスは、そのエリアをより魅力的なもの及びより興味のあるものにさせ得る。照明に関するインタラクティビティは、例えば人が店舗内の特定エリアに接近している場合に特定の照明効果を変化させるように、照明を人の存在に適合させることを有する。それ故、インタラクティビティは、ダイナミクスがイベントにより影響を受けるという意味でダイナミックな照明を有し、これは、ユーザ動作のような照明システムによっては制御されない。
【００３１】
発明者らは、小売業者及び買い物客の双方で評価された様々なインタラクティブな照明の概念で実験した。これらの実験の一例は、買い物客がファッション製品に接近すると、ファッションアクセサリを照射し、照明効果の僅かな変化を生成する反応性スポットライトである。小売業者及び買い物客は、このインタラクティビティがショッピングを発見の刺激的な旅に変えるのを支援するので、このインタラクティビティを評価した。しかしながら、多くの回答者は、その日の間の穏やかな時には、その効果がより強いものになり、その日の人通りの多い時には、その効果は、あまりダイナミックな環境を生成しないように僅かにすべきであることを述べた。週末のような店舗が混雑している時には、買い物客が刺激の過負荷に直面し、インタラクティブな照明は"人が多い"という感情に付加されてネガティブな効果を生成するので、インタラクティブな効果は望ましくない。この実験は、発明者らに、彼らにより開発されたインタラクティブな照明の概念を再考させ、特定のエリア内の人の存在のレベルに依存した照明システムのような雰囲気生成システムにより生成された雰囲気のダイナミクスレベルを作ることを提案させた。
【００３２】
図１は、照明コントローラ１８及びスポットライト２０を有する照明システムを示している。照明コントローラ１８は、制御信号を自動的に生成することができる。制御信号は、ダイナミクスを含む特定の照明雰囲気を作り出すために、スポットライト２０に無線で出力される。照明コントローラ１８は、受信した照明雰囲気に従って照明効果を生成するために、受信した照明雰囲気を処理し、スポットライトのための制御信号を生成するための処理ユニット２２と、例えばデータベース２８から照明雰囲気を受信するための照明雰囲気受信ユニット２４と、生成された制御信号をスポットライト２０に送信するための無線通信ユニット２６と、エリア１４に接近している人を検出するための存在センサ３０とを含む。エリア１４において、例えば店舗内の新製品が提示される。
【００３３】
照明雰囲気受信ユニット２４は、データベース２８から、照明雰囲気の抽象記述を含むファイルの形式で照明雰囲気データを受信し、受信したデータを処理ユニット２２に転送する。処理ユニット２２は、ここではスポットライト２０を備えた具体的な照明システムに含まれた照明ユニットで、受信した照明雰囲気に従って照明効果を生成するのに適した制御信号を、受信したデータから自動的に生成する。そして、生成した制御信号は、無線通信ユニット２６を介して照明コントローラからスポットライト２０に無線で出力され、これは、所望の照明効果を生成する。照明コントローラ１８は、制御されたスポットライト２０と一緒に、インタラクティブな照明雰囲気、即ち次に述べられるような環境の変化に"反応する"ダイナミックな照明雰囲気を実装する。人がエリア１４に接近したときには、照明コントローラの存在センサ３０が検出し、このイベントを処理ユニット２２に信号で伝える。そして、処理ユニット２２は、照明効果の変化を生成するためにスポットライトのための制御信号を生成し、これは、人をエリア１４に引き付け得る。
【００３４】
更に、存在検出に基づいて照明雰囲気を自動的に調節するためのシステム１０が提供され、これは、以下で述べられるように、エリア１４における存在レベルに依存して、生成された照明雰囲気に自動的に影響を与え得る。本システム１０は、存在センサ１２を有し、これは、スポットライト２０により強調されるエリア１４を監視するように構成される。存在センサ１２は、監視エリア１４における人の存在に関する情報を収集し、それぞれの信号をシステム１０の処理ユニット１６に転送する。処理ユニット１６は、以下の方法で、受信した信号を処理する。処理ユニット１６は、監視エリア１４内に配置された人の数、及び、監視エリア１４を通過する人、即ち監視エリアに入るか又は出る人の数を、受信した存在センサ信号から決定する。人の決定された数は、監視エリア１４における存在レベルに対応する。処理ユニット１４は、更に、決定された存在レベルを閾値と連続的に比較する。閾値は、監視エリア１４に配置された人及び／又は監視エリア１４を通過する人の特定の数に対応する予め決められた存在レベルである。典型的には、予め決められた存在レベルは、忙しい時間での多くの人に対応し、これは、これらのダイナミクスが人により望ましくないと見なされ、人が刺激の過負荷に既に直面し、インタラクティブな照明が人の引き付けに対してネガティブな効果を作り出し得るので、照明雰囲気においてダイナミクスを削減することを要求する。それ故、処理ユニット１４は、決定された存在レベルが閾値を超える場合に照明雰囲気のダイナミクスが削減されるという点で、スポットライト２０により生成された照明雰囲気及び照明効果を適合させるように、照明コントローラ１８に信号を送信する。この信号をシステム１０の処理ユニット１６から受信すると、照明コントローラ１８の処理ユニット２２は、ダイナミクス及びインタラクティビティにより照明雰囲気を適合させ始める。例えば、照明コントローラ１８の処理ユニット２２は、存在センサ３０の存在検出に依存して照明効果を無効化し始める。この無効化は、例えばダイナミックな照明効果をオフに切り替えることにより、急激なものであってもよく、又は、例えば特定のダイナミックな照明効果を調光することにより、滑らかなものであってもよい。
【００３５】
図２は、存在検出に基づいて照明雰囲気を自動的に調節するための方法を具現化するアルゴリズムのフローチャートを示している。本アルゴリズムの第１のステップＳ１０において、特に１又はそれ以上の存在センサ又は検出器で、監視エリアからの存在情報が収集される。収集された存在情報に基づいて、監視エリア内の存在レベルは、後続するステップＳ１２において決定される。更なるステップＳ１４において、決定された存在レベルが、インタラクティブな照明効果のためには人が多過ぎるような監視エリア内の特定の存在に対して規定された閾値を超えているかどうかが確認される。決定された存在レベルが閾値よりも低い場合には、アルゴリズムはステップＳ１０に戻り、このステップＳ１０において、更なる存在情報が収集される。しかしながら、決定された存在レベルが閾値を超えている場合には、アルゴリズムはステップＳ１６に続き、このステップＳ１６において、照明雰囲気の目立ったダイナミックな効果が調節され、特に無効化されるか又はあまりダイナミックにならないように調節される。
【００３６】
照明コントローラ１８を備えた照明雰囲気の自動生成は、複雑なプロセスであり、照明雰囲気の自動生成の間において、照明システムの具体的な実施形態に関連しない照明雰囲気の抽象記述が、照明コントローラ１８により制御された具体的な照明システムにマッピングされることが留意されるべきである。このプロセスは、特に、抽象記述において記述されるような意味的なエリア内に照明効果を、それぞれの意味的なエリアに対応するエリアにおいて提供された照明ユニットで生成されるべき照明効果にマッピングすることを有する。例えば、意味的なエリア"レジ"における特定の照明効果は、ターゲット照明システムのレジエリア内に設けられた１又はそれ以上の照明ユニットにより生成されるべき対応する照明効果にマッピングされる。
【００３７】
本発明の取り得る追加及び拡張は、以下に簡潔に説明される。
【００３８】
１．本発明は、公衆又は商業空間、例えば百貨店、ファッションショップ、サッカースタジアムにおける混雑した状態のエリア、即ち意味的なエリア又はアイランドを識別するための方法を備え、この方法で強化される。
【００３９】
２．本発明は、同様に、予測的な属性、即ち次の瞬間における混雑状況の属性を示す（意味的な）エリアの予測で強化されてもよい。これは、センサ情報、例えば推定され得る個々の速度及び検出を含む移動の知識により実現され、それ故、混雑する将来のエリアを予測し得る。特定のターゲットグループ、例えばレジャー買い物客の行動パターンの知識は、本システム及び本発明の前述された方法の信頼性を強化するために用いられ得る。
【００４０】
３．ターゲット又は特定のグループの行動パターンは、例えばＲＦＩＤ（Radio Frequency Identification）又は視覚システムを用いて収集され、異なる日の時間、特定の日、又は、その年に渡る期間、例えば夏、秋、冬及び春に対する統計的行動パターンを詳述するために用いられ得る。それ故、照明雰囲気又はアンビエンスは、それぞれ、ある種のパーソナライズに導く特定のターゲットグループに対して適宜適合され得る。
【００４１】
４．隣接した意味的なエリアにおける混雑状況の知識は、混雑したエリアと混雑していないエリアとの間の滑らかなアンビエンス遷移を供給するために用いられ得る。例えば、店舗の後ろの意味的なエリア"女性区域"はほとんど空であるが、店舗の中央の意味的なエリア"特価提供"が混雑しており、依然として、遷移は２つのアンビエンス間で滑らかになるべきである。
【００４２】
５．更に、前記のポイント３に基づき述べられた行動パターンの知識、及び、隣接する意味的なエリア内の混雑状況の知識は、適時にトリガし、近い将来における意味的なエリアの混雑状況を予測するようにダイナミックな照明効果及び雰囲気を適合させるために用いられ得る。例えば、"特価提供"区域が混雑しており、行動パターンに基づいてその集団が大抵"女性区域"に移動することを知っている場合には、"女性区域"における長続きする照明効果が時間的に適合され、それ故、不快な急激な変化を回避する。それ故、ダイナミックな照明効果（スクリプト）は、スピードアップ／ダウンのいずれかであってもよく、それ故、これらは、混雑しているか又は混雑していない状況のエリアにおいてそれぞれランプダウン／アップすることができる。
【００４３】
６．加えて、混雑状況の知識は、斯様な混雑したエリアにおける照明システムでの個々のインタラクション及び効果のダイナミクスを削減するのに役立ち、これは、特定の意味的なエリアにおける残りの買い物客の気をそらすだろう。これは、局所的な光刺激された焦点（注目点）が、混雑しているか又は混雑していない状況のエリアにおいてそれぞれ無効化／有効化されることを含む。
【００４４】
７．混雑しているか又は混雑していない状況を示す意味的なエリアの識別又は予測は、それぞれ、健康及び体験を向上させるよう努める環境刺激（照明効果、カラーダイナミクス、音楽、フレグランス、温度、湿度）を適合させるために用いられ得る。例えば、属性の混雑状況をもつ意味的なエリアは、アンビエンス及び体験を削減するストレス、例えば滑らかな光及び音楽で適切に操作されるだろう。それどころか、混雑していない状況を示す意味的なエリアにおける環境刺激は、例えば低さの感覚を削減するためにガイダンス（例えばガイド光）を供給して環境刺激のダイナミクスを増大させることにより、適切に適合されるだろう。
【００４５】
８．最後だが重要なこととして、意味的なエリアの混雑している状況又は混雑していない状況のそれぞれの知識は、営業時間の間において照明システムを調整するために個々の意味的な混雑していない状況を生かすために用いられ、それ故、現在必要とされる費用のかかる店舗のダウンタイムを削減し、本照明インフラを導入して調整する。
【００４６】
本発明の機能の少なくとも幾つかは、ハードウェア又はソフトウェアにより実行され得る。ソフトウェアにおける実行の場合において、１又は複数の標準的なマイクロプロセッサ又はマイクロコントローラは、本発明を実行する１又は複数のアルゴリズムを処理するために用いられ得る。
【００４７】
"有する"という用語は、他の要素又はステップを除外するものではなく、単数表記は、複数を除外するものではないことが留意されるべきである。更に、特許請求の範囲における参照符号は、本発明の範囲を限定するものとして考慮されるべきではない。
【図１】
0005580211.tif 000002
【図２】
0005580211.tif 000003